(57)【特許請求の範囲】
【請求項１】
静止接点（３１１、３２１）を有する静止コンタクト（３１０、３２０）と、
可動接点（４１１、４２１）を有する可動コンタクト（４００）と、
前記可動コンタクト（４００）が取り付けられた回転部材（１００）であって、前記可動コンタクトは、スイッチオン位置とスイッチオフ位置との間で前記回転部材（１００）とともに回転可能であり、前記可動コンタクト（４００）が前記スイッチオン位置へ回転したとき、前記可動接点（４１１、４２１）は、前記静止接点（３１１、３２１）と電気的に接触し、前記可動コンタクト（４００）が前記スイッチオフ位置へ回転したとき、前記可動接点（４１１、４２１）は前記静止接点（３１１、３２１）から分離される、回転部材（１００）と、
前記回転部材（１００）と連動し、消弧シート（２０１、２０２）を有する消弧デバイス（２１０、２２０）とを備え、
前記可動コンタクト（４００）が前記スイッチオン位置へ回転したとき、前記消弧シート（２０１、２０２）は、前記可動接点（４１１、４２１）と前記静止接点（３１１、３２１）との間の接触領域を越えて回転し、前記可動接点（４１１、４２１）が前記静止接点（３１１、３２１）と電気的に接触することを可能にし、
前記可動コンタクト（４００）が前記スイッチオフ位置へ回転したとき、前記消弧シート（２０１、２０２）は、前記可動接点（４１１、４２１）と前記静止接点（３１１、３２１）との間の前記接触領域内へ回転し、したがって前記可動接点（４１１、４２１）は、前記静止接点（３１１、３２１）から電気的に分離され、前記可動接点（４１１、４２１）と前記静止接点（３１１、３２１）との間の電気アークを遮断し、
前記回転部材（１００）は、円板状ベース（１０１）と、前記円板状ベース（１０１）から突出している円筒形部分（１０２）とを備え、前記可動コンタクト（４００）は、前記回転部材（１００）の前記円筒形部分（１０２）に取り付けられている、
電気コンタクトシステム。
【請求項２】
前記静止コンタクト（３１０、３２０）は、第１の静止コンタクト（３１０）および第２の静止コンタクト（３２０）を備え、前記可動コンタクト（４００）は、前記第１の静止コンタクト（３１０）と前記第２の静止コンタクト（３２０）との間に位置し、
前記第１の静止コンタクト（３１０）は第１の静止接点（３１１）を備え、前記第２の静止コンタクト（３２０）は第２の静止接点（３２１）を備え、前記可動コンタクト（４００）は、その第１の端部（４１０）に第１の可動接点（４１１）を備え、その第２の端部（４２０）に第２の可動接点（４２１）を備えており、
前記消弧デバイス（２１０、２２０）は、第１の消弧シート（２０１）を備えた第１の消弧デバイス（２１０）と、第２の消弧シート（２０２）を備えた第２の消弧デバイス（２２０）とを備える、
請求項１に記載の電気コンタクトシステム。
【請求項３】
前記可動コンタクト（４００）が前記スイッチオフ位置へ回転したとき、前記第１の消弧シート（２０１）は、前記第１の可動接点（４１１）と前記第１の静止接点（３１１）との間の前記接触領域内へ回転し、前記第２の消弧シート（２０２）は、前記第２の可動接点（４２１）と前記第２の静止接点（３２１）との間の前記接触領域内へ回転し、したがって前記第１の可動接点（４１１）および前記第２の可動接点（４２１）は、それぞれ前記第１の静止接点（３１１）および前記第２の静止接点（３２１）から電気的に分離される、
請求項２に記載の電気コンタクトシステム。
【請求項４】
前記可動コンタクト（４００）が前記スイッチオン位置へ回転したとき、前記第１の消弧シート（２０１）は、前記第１の可動接点（４１１）と前記第１の静止接点（３１１）との間の前記接触領域を越えて回転し、前記第２の消弧シート（２０２）は、前記第２の可動接点（４２１）と前記第２の静止接点（３２１）との間の前記接触領域の外へ回転し、前記第１の可動接点（４１１）および前記第２の可動接点（４２１）がそれぞれ前記第１の静止接点（３１１）および前記第２の静止接点（３２１）と電気的に接触することを可能にする、
請求項２に記載の電気コンタクトシステム。
【請求項５】
前記回転部材（１００）の前記円板状ベース（１０１）に第１のギヤ（１１１）および第２のギヤ（１２１）が形成され、
前記第１のギヤ（１１１）と噛合する第１の相手側ギヤ（２１１）が、前記第１の消弧デバイス（２１０）に形成され、
前記第２のギヤ（１２１）と噛合する第２の相手側ギヤ（２２１）が、前記第２の消弧デバイス（２２０）に形成されている、
請求項２に記載の電気コンタクトシステム。
【請求項６】
前記回転部材（１００）の前記円板状ベース（１０１）に第１の溝（１１０）および第２の溝（１２０）が形成され、前記第１のギヤ（１１１）および前記第２のギヤ（１２１）はそれぞれ、前記第１の溝（１１０）の縁部および前記第２の溝（１２０）の縁部に形成されている、
請求項５に記載の電気コンタクトシステム。
【請求項７】
前記回転部材（１００）の前記円筒形部分（１０２）に取付け溝が形成され、前記可動コンタクト（４００）の本体部分が、前記取付け溝内に取り付けられ、前記回転部材（１００）の前記円筒形部分（１０２）の端部に取り付けられたロックキャップ（５００）によって前記回転部材（１００）の前記円筒形部分（１０２）にロックされる、
請求項１に記載の電気コンタクトシステム。
【請求項８】
静止している第１の絶縁壁（３０１）および静止している第２の絶縁壁（３０２）をさらに備え、
前記可動コンタクト（４００）が前記スイッチオフ位置へ回転したとき、前記第１の消弧シート（２０１）は前記第１の絶縁壁（３０１）に部分的に重なり、前記第２の消弧シート（２０２）は前記第２の絶縁壁（３０２）に部分的に重なる、請求項２に記載の電気コンタクトシステム。
【請求項９】
前記第１の絶縁壁（３０１）は、前記第１の静止接点（３１１）の一方の側に位置し、前記第２の絶縁壁（３０２）は、前記第２の静止接点（３２１）の一方の側に位置し、
前記可動コンタクト（４００）が前記スイッチオン位置から前記スイッチオフ位置へ回転したとき、前記第１の消弧シート（２０１）は、前記第１の静止接点（３１１）の他方の側から前記第１の静止接点（３１１）と前記第１の可動接点（４１１）との間の前記接触領域に入るように駆動され、前記第２の消弧シート（２０２）は、前記第２の静止接点（３２１）の他方の側から前記第２の静止接点（３２１）と前記第２の可動接点（４２１）との間の前記接触領域に入るように駆動される、
請求項８に記載の電気コンタクトシステム。
【発明の詳細な説明】
【技術分野】
【０００１】
関連出願の相互参照
本出願は、開示全体が参照により本明細書に組み込まれている、２０１７年６月１日に中国国家知識産権局に出願された「Ｅｌｅｃｔｒｉｃａｌ  Ｃｏｎｔａｃｔ  Ｓｙｓｔｅｍ」という名称の中国特許出願第２０１７１０４０３５８９．３号の利益を主張する。
【０００２】
本開示は、電気コンタクトシステムに関し、詳細には、消弧デバイスを有する電気コンタクトシステムに関する。
【背景技術】
【０００３】
電気スイッチデバイスおよび制御器具内の電気コンタクトは、オンからオフまたはオフからオンへの切換え中に電気アークを放電および生成することがある。電気アークの生成は、回路の接続および切断を遅延させ、さらには電気コンタクトを焼損させることがあり、その結果、電気コンタクトの溶融および溶着が生じることがある。深刻な場合、電気スイッチデバイスの発火および爆発を引き起こすこともある。したがって、効率的で確実な消弧作用を実現する消弧デバイスを設計することが必要とされている。
【０００４】
関連技術では、高圧直流リレーなどの電気スイッチデバイスは通常、封止された膨張性の磁界を使用して金属相の電気アークを横方向に長くし、したがって消弧媒体中で電気アークを迅速に冷却してイオンを除去することができる。そのような方法には良好な消弧作用があるが、その製造プロセスは複雑であり、したがってコストが高くなる。別の消弧方法は、空気媒体で電気アークを消滅させるために強い磁界を利用することである。しかし、空気媒体中の電気アークの強いイオン化により、望ましくない消弧作用が生じることがあり、電気コンタクトの溶融および溶着が容易に生じる可能性がある。また、十分な大きさの内部空間が必要とされ、その結果、スイッチギヤのサイズを小型化することができなくなる。
【発明の概要】
【発明が解決しようとする課題】
【０００５】
本開示は、上述した欠点の少なくとも１つの態様を克服または軽減するためになされたものである。
【課題を解決するための手段】
【０００６】
本開示の一目的によれば、アークを確実に消滅させることが可能な電気コンタクトシステムが提供される。
【０００７】
本開示の一態様によれば、静止接点を有する静止コンタクトと、可動接点を有する可動コンタクトと、可動コンタクトが取り付けられた回転部材とを含み、可動コンタクトは、スイッチオン位置とスイッチオフ位置との間で回転部材とともに回転可能である、電気コンタクトシステムが提供される。可動コンタクトがスイッチオン位置へ回転したとき、可動接点は静止接点と電気的に接触し、可動コンタクトがスイッチオフ位置へ回転したとき、可動接点は静止接点から分離される。電気コンタクトシステムは、回転部材と連動し、消弧シートを有する消弧デバイスをさらに含む。可動コンタクトがスイッチオン位置へ回転したとき、消弧シートは、可動接点と静止接点との間の接触領域を越えて回転し、それによって可動接点が静止接点と電気的に接触することを可能にする。
可動コンタクトがスイッチオフ位置へ回転したとき、消弧シートは、可動接点と静止接点との間の接触領域内へ回転し、したがって可動接点は、静止接点から電気的に分離され、それによって可動接点と静止接点との間の電気アークを遮断する。
【０００８】
本開示の例示的な実施形態によれば、静止コンタクトは、第１の静止コンタクトおよび第２の静止コンタクトを含み、可動コンタクトは、第１の静止コンタクトと第２の静止コンタクトとの間に位置する。第１の静止コンタクトは第１の静止接点を有し、第２の静止コンタクトは第２の静止接点を有し、可動コンタクトは、その第１の端部に第１の可動接点を有し、その第２の端部に第２の可動接点を有する。消弧デバイスは、第１の消弧シートを備えた第１の消弧デバイスと、第２の消弧シートを備えた第２の消弧デバイスとを含む。
【０００９】
本開示の別の例示的な実施形態によれば、可動コンタクトがスイッチオフ位置へ回転したとき、第１の消弧シートは、第１の可動接点と第１の静止接点との間の接触領域内へ回転し、第２の消弧シートは、第２の可動接点と第２の静止接点との間の接触領域内へ回転し、したがって第１の可動接点および第２の可動接点は、それぞれ第１の静止接点および第２の静止接点から電気的に分離される。
【００１０】
本開示の別の例示的な実施形態によれば、可動コンタクトがスイッチオン位置へ回転したとき、第１の消弧シートは、第１の可動接点と第１の静止接点との間の接触領域を越えて回転し、第２の消弧シートは、第２の可動接点と第２の静止接点との間の接触領域の外へ回転し、それによって第１の可動接点および第２の可動接点がそれぞれ第１の静止接点および第２の静止接点と電気的に接触することを可能にする。
【００１１】
本開示の別の例示的な実施形態によれば、回転部材は、円板状ベースと、円板状ベースから突出している円筒形部分とを含み、可動コンタクトは、回転部材の円筒形部分に取り付けられている。
【００１２】
本開示の別の例示的な実施形態によれば、回転部材の円板状ベースに第１のギヤおよび第２のギヤが形成され、第１のギヤと噛合する第１の相手側ギヤが、第１の消弧デバイスに形成され、第２のギヤと噛合する第２の相手側ギヤが、第２の消弧デバイスに形成されている。
【００１３】
本開示の別の例示的な実施形態によれば、回転部材の円板状ベースに第１の溝および第２の溝が形成され、第１のギヤおよび第２のギヤはそれぞれ、第１の溝の縁部および第２の溝の縁部に形成されている。
【００１４】
本開示の別の例示的な実施形態によれば、回転部材の円筒形部分に取付け溝が形成され、可動コンタクトの本体部分が、取付け溝内に取り付けられ、回転部材の円筒形部分の端部に取り付けられたロックキャップによって回転部材の円筒形部分にロックされる。
【００１５】
本開示の別の例示的な実施形態によれば、電気コンタクトシステムは、静止している第１の絶縁壁および静止している第２の絶縁壁をさらに含み、可動コンタクトがスイッチオフ位置へ回転したとき、第１の消弧シートは第１の絶縁壁に部分的に重なり、第２の消弧シートは第２の絶縁壁に部分的に重なる。
【００１６】
本開示の別の例示的な実施形態によれば、第１の絶縁壁は、第１の静止接点の一方の側に位置し、第２の絶縁壁は、第２の静止接点の一方の側に位置し、可動コンタクトがスイッチオン位置からスイッチオフ位置へ回転したとき、第１の消弧シートは、第１の静止接点の他方の側から第１の静止接点と第１の可動接点との間の接触領域に入るように駆動され、第２の消弧シートは、第２の静止接点の他方の側から第２の静止接点と第２の可動接点との間の接触領域に入るように駆動される。
【００１７】
本開示の上記の例示的な実施形態では、消弧デバイスは、回転部材のギヤと噛合する。したがって、回転部材によって消弧デバイスを駆動して、可動接点と静止接点との間の接触領域内へ回転させることができ、したがって可動接点と静止接点との間のアークを迅速に遮断して、効率的で確実な消弧作用を実現することができる。加えて、本開示では、消弧デバイスを独立して駆動して回転させる駆動デバイスを提供する必要がなく、簡単な構造および低コストが実現される。
【００１８】
本開示の上記その他の特徴は、本開示の例示的な実施形態について添付の図面を参照して詳細に説明することによってより明らかになる。
【図面の簡単な説明】
【００１９】
【図１】可動コンタクトが１対の静止コンタクトから分離された状態にある、本開示の一実施形態による電気コンタクトシステムの概略斜視図である。
【図２】可動コンタクトが１対の静止コンタクトから分離された状態にある、本開示の一実施形態による電気コンタクトシステムの平面図である。
【図３】可動コンタクトが１対の静止コンタクトに接触している状態にある、本開示の一実施形態による電気コンタクトシステムの平面図である。
【発明を実施するための形態】
【００２０】
以下、本開示の例示的な実施形態について、添付の図面を参照して詳細に説明する。添付の図面では、同じ参照番号が同様の要素を指す。しかし本開示は、多くの異なる形態で実施することができ、本明細書に記載の実施形態に限定されると解釈されるべきではなく、逆にこれらの実施形態は、本開示が徹底的かつ完全になるように提供されており、本開示の概念を当業者に十分に伝える。
【００２１】
加えて、以下の詳細な説明では、説明の目的で、開示する実施形態の徹底的な理解を提供するために、多数の具体的な詳細について述べる。しかし、これらの具体的な詳細がなくても１つまたは複数の実施形態を実施することができることが明らかである。他の例では、よく知られている手段およびデバイスは、図面を簡略化するために図面に概略的に示す。
【００２２】
本開示の技術的な一般概念によれば、静止接点を有する静止コンタクトと、可動接点を有する可動コンタクトと、可動コンタクトが取り付けられた回転部材とを含み、可動コンタクトは、スイッチオン位置とスイッチオフ位置との間で回転部材とともに回転可能である、電気コンタクトシステムが提供される。可動コンタクトがスイッチオン位置へ回転したとき、可動接点は静止接点と電気的に接触し、可動コンタクトがスイッチオフ位置へ回転したとき、可動接点は静止接点から分離される。電気コンタクトシステムは、回転部材と連動し、消弧シートを有する消弧デバイスをさらに含む。
可動コンタクトがスイッチオン位置へ回転したとき、消弧シートは、可動接点と静止接点との間の接触領域を越えて回転し、それによって可動接点が静止接点と電気的に接触することを可能にし、可動コンタクトがスイッチオフ位置へ回転したとき、消弧シートは、可動接点と静止接点との間の接触領域内へ回転し、したがって可動接点は、静止接点から電気的に分離され、それによって可動接点と静止接点との間の電気アークを遮断する。
【００２３】
図１は、可動コンタクト４００が１対の静止コンタクト３１０、３２０から分離された状態にある、本開示の一実施形態による電気コンタクトシステムの概略斜視図を示す。図２は、可動コンタクト４００が１対の静止コンタクト３１０、３２０から分離された状態にある、本開示の一実施形態による電気コンタクトシステムの平面図を示す。図３は、可動コンタクト４００が１対の静止コンタクト３１０、３２０に接触している状態にある、本開示の一実施形態による電気コンタクトシステムの平面図を示す。
【００２４】
図１、図２、および図３に示すように、図示の実施形態では、電気コンタクトシステムは主に、可動コンタクト４００、静止コンタクト３１０、３２０、回転部材１００、および消弧デバイス２１０、２２０を含む。可動コンタクト４００は、突出している可動接点４１１および４２１を備え、静止コンタクト３１０および３２０は、突出している静止接点３１１および３２１を備える。可動コンタクト４００は、回転部材１００に取り付けられており、スイッチオン位置とスイッチオフ位置との間で回転部材１００の回転軸Ｚ周りで回転部材１００とともに回転可能である。
【００２５】
図３に示すように、可動コンタクト４００がスイッチオン位置へ回転したとき、可動接点４１１、４２１は、静止接点３１１、３２１と電気的に接触する。
【００２６】
図１および図２に示すように、可動コンタクト４００がスイッチオフ位置へ回転したとき、可動接点４１１、４２１は、静止接点３１１、３２１から分離される。
【００２７】
図１、図２、および図３に示すように、図示の実施形態では、消弧デバイス２１０、２２０は、消弧シート２０１、２０２を有し、回転部材１００と噛合する。したがって、回転部材１００がその回転軸Ｚ周りで回転したとき、回転部材１００は、消弧デバイス２１０、２２０の消弧シート２０１、２０２を駆動して、消弧デバイス２１０、２２０の回転軸周りで回転させることができる。
【００２８】
図３に示すように、図示の実施形態では、可動コンタクト４００がスイッチオン位置へ回転したとき、消弧シート２０１、２０２は、可動接点４１１、４２１と静止接点３１１、３２１との間の接触領域を越えて回転し、可動接点４１１、４２１が静止接点３１１、３２１と電気的に接触することを可能にする。
【００２９】
図１および図２に示すように、図示の実施形態では、可動コンタクト４００がスイッチオフ位置へ回転したとき、消弧シート２０１、２０２は、可動接点４１１、４２１と静止接点３１１、３２１との間の接触領域内へ回転し、したがって可動接点４１１、４２１は、静止接点３１１、３２１から電気的に分離され、それによって可動接点４１１、４２１と静止接点３１１、３２１との間の電気アークを遮断する。
【００３０】
図１、図２、および図３に示すように、図示の実施形態では、電気コンタクトシステムは、２重の接点を備える。図１に示すように、静止コンタクト３１０、３２０は、第１の静止コンタクト３１０および第２の静止コンタクト３２０を含む。可動コンタクト４００は、第１の静止コンタクト３１０と第２の静止コンタクト３２０との間に位置する。第１の静止コンタクト３１０は第１の静止接点３１１を有し、第２の静止コンタクト３２０は第２の静止接点３２１を有する。可動コンタクト４００の第１の端部４１０に第１の可動接点４１１が設けられ、可動コンタクト４００の第２の端部４２０に第２の可動接点４２１が設けられる。消弧デバイス２１０、２２０は、第１の消弧デバイス２１０および第２の消弧デバイス２２０を含む。第１の消弧デバイス２１０は第１の消弧シート２０１を有し、第２の消弧デバイス２２０は第２の消弧シート２０２を有する。
【００３１】
図１および図２に示すように、図示の実施形態では、可動コンタクト４００がスイッチオフ位置へ回転したとき、第１の消弧シート２０１は、第１の可動接点４１１と第１の静止接点３１１との間の接触領域内へ回転し、第２の消弧シート２０２は、第２の可動接点４２１と第２の静止接点３２１との間の接触領域内へ回転し、したがって第１の可動接点４１１および第２の可動接点４２１は、それぞれ第１の静止接点３１１および第２の静止接点３２１から電気的に分離される。そうすることによって、第１の可動接点４１１と第１の静止接点３１１との間の電気アークおよび第２の可動接点４２１と第２の静止接点３２１との間の電気アークを迅速に遮断することができる。
【００３２】
図３に示すように、図示の実施形態では、可動コンタクト４００がスイッチオン位置へ回転したとき、第１の消弧シート２０１は、第１の可動接点４１１と第１の静止接点３１１との間の接触領域の外へ回転し、第２の消弧シート２０２は、第２の可動接点４２１と第２の静止接点３２１との間の接触領域の外へ回転し、それによって第１の可動接点４１１および第２の可動接点４２１がそれぞれ第１の静止接点３１１および第２の静止接点３２１と電気的に接触することを可能にする。
【００３３】
図１に示すように、図示の実施形態では、回転部材１００は、円板状ベース１０１と、円板状ベース１０１から突出している円筒形部分１０２とを含む。可動コンタクト４００は、回転部材１００の円筒形部分１０２に取り付けられている。
【００３４】
図１に示すように、図示の実施形態では、回転部材１００の円板状ベース１０１に第１のギヤ１１１および第２のギヤ１２１が形成されている。第１のギヤ１１１と噛合する第１の相手側ギヤ２１１が、第１の消弧デバイス２１０に形成されている。第２のギヤ１２１と噛合する第２の相手側ギヤ２２１が、第２の消弧デバイス２２０に形成されている。
【００３５】
図１に示すように、図示の実施形態では、回転部材１００の円板状ベース１０１に第１の溝１１０および第２の溝１２０が形成されている。第１のギヤ１１１および第２のギヤ１２１はそれぞれ、第１の溝１１０の縁部および第２の溝１２０の縁部に形成されている。
【００３６】
図１に示すように、図示の実施形態では、回転部材１００の円筒形部分１０２に取付け溝（図示せず）が形成されている。可動コンタクト４００の本体部分が、取付け溝内に設置され、回転部材１００の円筒形部分１０２の端部に取り付けられたロックキャップ５００によって回転部材１００の円筒形部分１０２にロックされる。
【００３７】
図１、図２、および図３に示すように、図示の実施形態では、電気コンタクトシステムは、それぞれ第１の静止接点３１１および第２の静止接点３２１に対して可動でない静止している第１の絶縁壁３０１および静止している第２の絶縁壁３０２をさらに含む。
【００３８】
図１および図２に示すように、図示の実施形態では、可動コンタクト４００がスイッチオフ位置へ回転したとき、第１の消弧シート２０１は第１の絶縁壁３０１に部分的に重なる。このようにして、はさみのように機能する第１の消弧シート２０１および第１の絶縁壁３０１によって、第１の可動接点４１１と第１の静止接点３１１との間の電気アークを迅速に遮断することができる。
【００３９】
同様に、図１および図２に示すように、図示の実施形態では、可動コンタクト４００がスイッチオフ位置へ回転したとき、第２の消弧シート２０２は第２の絶縁壁３０２に部分的に重なる。このようにして、はさみのように機能する第２の消弧シート２０２および第２の絶縁壁３０２によって、第２の可動接点４２１と第２の静止接点３２１との間のアークを迅速に遮断することができる。
【００４０】
図示しないが、本開示の一実施形態では、第１の絶縁壁３０１および第２の絶縁壁３０２は、第１の静止コンタクト３１０および第２の静止コンタクト３２０が取り付けられた絶縁体に形成することができる。
【００４１】
図１、図２、および図３に示すように、図示の実施形態では、第１の絶縁壁３０１は、第１の静止接点３１１の一方の側に位置し、第２の絶縁壁３０２は、第２の静止接点３２１の一方の側に位置する。
【００４２】
図１、図２、および図３に示すように、図示の実施形態では、可動コンタクト４００がスイッチオン位置からスイッチオフ位置へ回転したとき、第１の消弧シート２０１は、第１の消弧シート２０１が第１の絶縁壁３０１に部分的に重なるまで、第１の静止接点３１１の他方の側から第１の静止接点３１１と第１の可動接点４１１との間の接触領域に入るように駆動される。
【００４３】
図１、図２、および図３に示すように、図示の実施形態では、可動コンタクト４００がスイッチオン位置からスイッチオフ位置へ回転したとき、第２の消弧シート２０２は、第２の消弧シート２０２が第２の絶縁壁３０２に部分的に重なるまで、第２の静止接点３２１の他方の側から第２の静止接点３２１と第２の可動接点４２１との間の接触領域に入るように駆動される。
【００４４】
図１、図２、および図３に示すように、図示の実施形態では、可動コンタクト４００がスイッチオフ位置からスイッチオン位置へ回転したとき、第１の消弧シート２０１は、第１の静止接点３１１と第１の可動接点４１１との間の接触領域を出るまで、第１の静止接点３１１の他方の側から第１の静止接点３１１と第１の可動接点４１１との間の接触領域を離れるように駆動される。
【００４５】
図１、図２、および図３に示すように、図示の実施形態では、可動コンタクト４００がスイッチオフ位置からスイッチオン位置へ回転したとき、第２の消弧シート２０２は、第２の静止接点３２１と第２の可動接点４２１との間の接触領域から出るまで、第２の静止接点３２１の他方の側から第２の静止接点３２１と第２の可動接点４２１との間の接触領域を離れるように駆動される。
【００４６】
本開示の上記の例示的な実施形態では、消弧デバイスは、回転部材のギヤと噛合する。したがって、回転部材によって消弧デバイスを駆動して、可動接点と静止接点との間の接触領域内へ回転させることができ、したがって可動接点と静止接点との間の電気アークを迅速に遮断して、効率的で確実な消弧作用を実現することができる。加えて、本開示では、消弧デバイスを独立して駆動して回転させる駆動デバイスを提供する必要がなく、簡単な構造および低コストが実現される。
【００４７】
本開示の上記の実施形態では、全体的な電気コンタクトシステムの機構は非常に簡単であり、製造および組立てが容易であり、信頼性が非常に高い。さらに、全体的な電気コンタクトシステムのサイズを小型化することができ、全体的な電気コンタクトシステムはそれほど駆動エネルギーを必要とせず、エネルギー消費量が少なく、電気コンタクトシステムを備えた回路の確実な接続および切断を実現することができる。
【００４８】
上述した実施形態はすべて例示であり、当業者であれば改善することができることが、当業者には理解されよう。様々な実施形態に記載した構造は、構造上または原理上矛盾することなく、自由に組み合わせることができる。
【００４９】
本開示について添付の図面を参照して説明したが、添付の図面に開示する実施形態は、本開示の好ましい実施形態を例示的に示すことを意図したものであり、本開示の限定であると解釈することはできない。
【００５０】
本発明の一般概念によるいくつかの実施形態について図示および説明したが、本発明の一般概念の原理および精神から逸脱することなく、これらの実施形態に修正を加えることができることが、当業者には理解されよう。本開示の範囲は、特許請求の範囲およびその均等物によって画定される。
【００５１】
「含む（ｉｎｃｌｕｄｉｎｇ）／備える（ｃｏｍｐｒｉｓｉｎｇ）」という表現は、他の要素またはステップを除外せず、「ａ」または「ａｎ」という表現は、複数であることを除外しないことに留意されたい。加えて、特許請求の範囲内のあらゆる参照番号は、本開示の範囲を限定すると解釈されるべきではない。
【図１】
0006884923.tif 000002
【図２】
0006884923.tif 000003
【図３】
0006884923.tif 000004